(57)【要約】【課題】本発明は、被災者の安否情報を確認する安否情報確認システムおよび安否情報確認方法に関し、被災者が被災時などに近くの電柱のＩＤおよび自己を識別する個人ＩＤをセンタに連絡してサーバに登録し、捜索者からの氏名などを指定した捜索要求に応じて被災者の安否情報を検索して返答し、被災者の詳細な場所を含む安否情報を簡易かつ迅速に取得可能にすることを目的とする。【解決手段】被災者端末からの近くの電柱のＩＤおよび自己を識別する個人ＩＤを受け付ける手段と、受け付けた電柱ＩＤおよび個人ＩＤをデータベースに登録する手段と、捜索者端末からの氏名を指定した捜索要求を受け付け、データベースに登録されている、氏名に対応する個人ＩＤを検索し、当該個人ＩＤと一緒に登録されている電柱ＩＤに対応する居場所を返答する手段とを備えた安否情報確認システムおよび安否情報確認方法である。【選択図】　図１
2004139336.tif 000002
【特許請求の範囲】
【請求項１】
被災者の安否情報を確認する安否情報確認システムにおいて、
被災者からの近くの電柱のＩＤおよび自己を識別する個人ＩＤを受け付ける手段と、
前記受け付けた電柱ＩＤおよび個人ＩＤをデータベースに登録する手段と、
捜索者からの氏名を指定した捜索要求を受け付け、前記データベースに登録されている、氏名に対応する個人ＩＤを検索し、当該個人ＩＤと一緒に登録されている電柱ＩＤに対応する居場所を返答する手段と
を備えたことを特徴とする安否情報確認システム。
【請求項２】
前記電柱ＩＤに対応する居場所を登録した第２のデータベースと、
前記個人ＩＤに対応する氏名を登録した第３のデータベースとを設け、
前記捜索者からの氏名を指定した捜索要求を受け付け、前記第３のデータベースを検索して当該氏名に対応する個人ＩＤを取り出し、前記データベースを検索して当該個人ＩＤが登録されていたときに当該個人ＩＤと一緒に登録されている電柱ＩＤを取り出し、前記第２のデータベースを検索して当該電柱ＩＤに対応する居場所を取り出し、当該居場所を返答する手段を備えたことを特徴とする請求項１記載の安否情報確認システム。
【請求項３】
前記電柱ＩＤに対応する居場所を登録した第２のデータベースを設け、
捜索者から個人ＩＤを指定した捜索要求を受け付け、前記データベースを検索して当該個人ＩＤが登録されていたときに当該個人ＩＤと一緒に登録されている電柱ＩＤを取り出し、前記第２のデータベースを検索して当該電柱ＩＤに対応する居場所を取り出し、当該居場所を返答する手段を備えたことを特徴とする請求項１記載の安否情報確認システム。
【請求項４】
前記電柱ＩＤおよび個人ＩＤを受け付ける手段として、携帯端末、携帯電話、ＦＡＸ、電話、無線ＬＡＮからの送信を受け付けることを特徴とする請求項１から請求項３のいずれかに記載の安否情報確認システム。
【請求項５】
被災者の安否情報を確認する安否情報確認方法において、
被災者からの近くの電柱のＩＤおよび自己を識別する個人ＩＤを受け付けるステップと、
前記受け付けた電柱ＩＤおよび個人ＩＤをデータベースに登録するステップと、
捜索者からの氏名を指定した捜索要求を受け付け、前記データベースに登録されている、氏名に対応する個人ＩＤを検索し、当該個人ＩＤと一緒に登録されている電柱ＩＤに対応する居場所を返答するステップと
を有する安否情報確認方法。
【発明の詳細な説明】
【０００１】
【発明の属する技術分野】
本発明は、被災者の安否情報を確認する安否情報確認システムおよび安否情報確認方法に関するものである。
【０００２】
【従来の技術】
従来、火事や地震などの災害が発生した場合、被災者の安否を知人が知るために携帯電話などに電話しても携帯電話の基地局が被災したり、多数の人が同時に発信してなかなかつながらなく、安否を知ることができない。
【０００３】
また、災害などが発生して公共施設や学校などに避難し、避難者の氏名、避難場所をキー入力してサーバに登録し、全国各地から当該サーバにアクセスして検索し、該当する知人の安否情報を引き出す技術がある（特許文献１参照）。
【０００４】
【特許文献１】
特開２００２−１４９６６５号公報の〔００１０〕から〔００１２〕と図１参照。
【０００５】
【発明が解決しようとする課題】
しかし、後者の被災者が公共施設に避難して氏名、避難場所などをキー入力してサーバに登録し、全国各地の知人からの応答に答えるようにしたのでは、被災者がわざわざ公共設備に行ったり、更に、氏名、避難場所などをキー入力してサーバに登録するという多大の手作業が必要となってしまうと共に、現在の居場所をきめ細かく入力して登録できないという問題があった。
【０００６】
本発明は、これらの問題を解決するため、被災者が被災時などに近くの電柱のＩＤおよび自己を識別する個人ＩＤをセンタに連絡してサーバに登録し、捜索者からの氏名などを指定した捜索要求に応じて被災者の安否情報を検索して返答し、被災者の詳細な場所を含む安否情報を簡易かつ迅速に取得可能にすることを目的としている。
【０００７】
【課題を解決するための手段】
図１を参照して課題を解決するための手段を説明する。
【０００８】
図１において、センタ１は、被災者端末１３からの近くの電柱のＩＤおよび被災者を識別する個人ＩＤを受け付けたり、捜索者１４からの捜索要求を受け付けて被災者の居場所を返答したりなどするものであって、ここでは、登録手段２、検索手段３、電柱ＤＢ５、登録ＤＢ７および個人ＤＢ８などから構成されるものである。
【０００９】
登録手段２は、受け付けた電柱ＩＤおよび個人ＩＤを登録ＤＢ７に登録するものである。
【００１０】
検索手段３は、個人ＤＢ８、登録ＤＢ７，電柱ＤＢ５を検索して捜索者１２からの捜索要求のあった被災者の居場所を取り出したりなどするものである。
【００１１】
電柱ＤＢ５は、電柱ＩＤに対応づけて場所などを登録したものである。
登録ＤＢ７は、被災者端末１３から受け付けた個人ＩＤと電柱ＩＤを対応づけて登録したものである。
【００１２】
個人ＤＢ８は、個人ＩＤに対応づけて氏名などを登録したものである。
被災者端末１３は、災害に遭遇した被災者が利用する、携帯電話、携帯端末、近くの固定電話（公衆電話）、ＦＡＸ、およびセンタ１に専用線などで直接接続された専用の直接端末などのセンタ１と通信可能な端末である。
【００１３】
捜索者端末１４は、被災者を捜索する捜索者が利用する、携帯電話、携帯端末、近くの固定電話（公衆電話）、ＦＡＸ、およびセンタ１に専用線などで直接接続された専用の直接端末などのセンタ１と通信可能な端末である。
【００１４】
次に、動作を説明する。
センタ１を構成する登録手段２が、被災者端末１３から送信された近くの電柱のＩＤおよび被災者を識別する個人ＩＤを受け付けて登録ＤＢ７に登録し、検索手段３が捜索者端末１４からの氏名を指定した捜索要求を受け付け、登録ＤＢ７に登録されている、氏名に対応する個人ＩＤを検索し、この個人ＩＤと一緒に登録されている電柱ＩＤに対応する居場所を返答させるようにしている。
【００１５】
この際、捜索者端末１４からの氏名を指定した捜索要求を受け付け、個人ＤＢ８を検索して氏名に対応する個人ＩＤを取り出し、登録ＤＢ７を検索してこの個人ＩＤが登録されていたときにこの個人ＩＤと一緒に登録されている電柱ＩＤを取り出し、電柱ＤＢ５を検索してこの電柱ＩＤに対応する居場所を取り出し、この居場所を返答させるようにしている。
【００１６】
また、捜索者端末１４から個人ＩＤを指定した捜索要求を受け付け、登録ＤＢ７を検索して個人ＩＤが登録されていたときにこの個人ＩＤと一緒に登録されている電柱ＩＤを取り出し、電柱ＤＢ５を検索してこの電柱ＩＤに対応する居場所を取り出し、この居場所を返答させるようにしている。
【００１７】
また、電柱ＩＤおよび個人ＩＤを受け付ける手段として、携帯端末、携帯電話、ＦＡＸ、電話、無線ＬＡＮからの送信を受け付けるようにしている。
【００１８】
従って、被災時などに、センタ１が、被災者端末１３からの近くの電柱のＩＤおよび被災者を識別する個人ＩＤを受信して登録ＤＢ７に登録し、捜索者端末１４からの氏名などを指定した捜索要求に応じて被災者の安否情報を検索して返答することにより、被災者の詳細な場所を含む安否情報を簡易かつ迅速に取得することが可能となる。
【００１９】
【発明の実施の形態】
次に、図１から図５を用いて本発明の実施の形態および動作を順次詳細に説明する。
【００２０】
図１は、本発明のシステム構成図を示す。
図１において、センタ１は、サーバなどを備えて当該サーバを構成するＣＰＵ上でプログラムを実行させて各種処理を実行するものであって、ここでは、被災者端末１３からの近くの電柱のＩＤおよび自己を識別する個人ＩＤを受け付けたり、捜索者端末１４からの捜索要求を受け付けて居場所を返答したりなどするものであり、登録手段２、検索手段３、通信手段４、電柱ＤＢ５、地図ＤＢ６、登録ＤＢ７および個人ＤＢ８などから構成されるものである。
【００２１】
登録手段２は、被災者端末１３からの電柱ＩＤおよび個人ＩＤを受け付けて、登録ＤＢ７に登録するものである（図２参照）。
【００２２】
検索手段３は、個人ＤＢ８、登録ＤＢ７，電柱ＤＢ５を検索して捜索者端末１４からの捜索要求のあった被災者の居場所を取り出したりなどするものである（図５参照）。
【００２３】
通信手段４は、ネットワーク９、１０または直接接続１１、１２を介して被災者端末１３および捜索者端末１４と各種データの送受信を行うものである（図２および図５参照）。
【００２４】
電柱ＤＢ５は、電柱ＩＤに対応づけて場所などを登録したものである（図３の（ｂ）参照）。
【００２５】
登録ＤＢ７は、被災者端末１３から受け付けた個人ＩＤと電柱ＩＤを対応づけて登録したものである（図３の（ａ）参照）。
【００２６】
個人ＤＢ８は、個人ＩＤに対応づけて氏名などを登録したものである（図３の（ｃ）参照）。
【００２７】
ネットワーク９、１０は、被災者端末１３からセンタ１への近くの電柱ＩＤおよび個人ＩＤを伝達したり、センタ１から捜索者端末１４への被災者の安否情報を伝達したりなどする、携帯電話のネットワーク、インターネットのネットワーク、更に、公衆網のネットワークなどのネットワークである。
【００２８】
直接接続１１、１２は、被災者端末１３からセンタ１への近くの電柱ＩＤおよび個人ＩＤを伝達したり、センタ１から捜索者端末１４への被災者の安否情報を伝達したりなどする、専用線などのセンタ１に直接接続された通信網である。
【００２９】
被災者端末１３は、災害に遭遇した被災者が利用する携帯電話、携帯端末、近くの固定電話（公衆電話）、ＦＡＸおよびセンタ１に専用線などで直接接続された専用の直接端末などのセンタ１と通信可能な端末である。被災者端末１３が、被災者の操作によりセンタ１に接続して、被災者から入力された、被災者の現在居場所の近くの電柱ＩＤと被災者を表す個人ＩＤ（住民基本台帳番号（１１桁）、運転免許証の番号、保険証の番号など）をセンタ１に送信すると、ネットワーク９などを介してセンタ１の通信手段４が受信し、登録手段２が自動的に受け付けこの電柱ＩＤと個人ＩＤを対応付けて登録ＤＢ７に登録する。
【００３０】
捜索者端末１４は、被災者を捜索する捜索者が利用する、携帯電話、携帯端末、近くの固定電話（公衆電話）、ＦＡＸおよびセンタ１に専用線などで直接接続された専用の直接端末などのセンタ１と通信可能な端末である。
【００３１】
次に、図２のフローチャートの順番に従い図１の構成の動作を詳細に説明する。
【００３２】
図２は、本発明の動作説明フローチャート（登録）を示す。ここで、被災者側とセンタは、図１の被災者および被災者端末１３とセンタ１に相当する。
【００３３】
図２において、Ｓ１では、被災者が災害の発生を判別する。ＹＥＳの場合には、Ｓ２に進む。ＮＯの場合には、Ｓ１を繰り返す。
【００３４】
Ｓ２では、被災者が近くの電柱ＩＤを読み取り被災者端末１３に入力する。これは、災害に遭遇した被災者が近くの電柱（電気、電話などの電柱）に貼り付けてある電柱ＩＤを読み取り、被災者端末１３に入力する。
【００３５】
Ｓ３では、被災者が被災者端末１３に個人ＩＤを入力する。これは、Ｓ２で被災者端末１３に入力した電柱ＩＤに続き個人ＩＤを更に入力する。
【００３６】
なお、被災者端末１３に被災者の個人ＩＤが登録されていれば、該個人ＩＤを引用することでこの入力を省略することも可能である。
【００３７】
Ｓ４では、被災者の操作に基づき、被災者端末１３がセンタ１に接続し、Ｓ２およびＳ３で入力された電柱ＩＤおよび個人ＩＤをセンタ１に送信する。
【００３８】
なお、被災者端末１３の形態によっては、被災者端末１３がセンタ１に接続してから、電柱ＩＤおよび個人ＩＤを例えば音声等の案内に応じて音声やキー入力などの各種入力方法を用いて入力することにより送信することも可能である。
【００３９】
Ｓ５では、センタ１の通信手段４がネットワーク９または直接接続を介してＳ４で被災者端末１３から送信された電柱ＩＤおよび個人ＩＤを受信する。
【００４０】
Ｓ６では、センタ１の登録手段２が、Ｓ５で受信した個人ＩＤおよび電柱ＩＤに受信時刻を受付時刻として更に対応付けて登録ＤＢ７に登録する。
【００４１】
以上によって、例えば
（１）　被災者が近くの電柱の電柱ＩＤを読み取って、所持する携帯端末というセンタ１と通信可能な被災者端末１３からセンタ１に該電柱ＩＤと個人ＩＤを音声、あるいはキーを押下してデータとしてセンタ１に当該電柱ＩＤと個人ＩＤを送信し、センタ１で自動認識して登録ＤＢ７に、電柱ＩＤと個人ＩＤ，更に、受け付け時間を登録する。
【００４２】
（２）　被災者が近くの電柱の電柱ＩＤを読み取って、近くの公衆電話というセンタ１と通信可能な被災者端末１３からセンタ１に該電柱ＩＤと個人ＩＤを音声、あるいはキーを押下してデータとして送信し、センタ１で自動認識して登録ＤＢ７に、電柱ＩＤと個人ＩＤ，更に、受け付け時間を登録する。
【００４３】
（３）　被災者が近くの電柱の電柱ＩＤを読み取り、近くの公共施設にを見つけて当該公共施設に設けてある直接端末というセンタ１と通信可能な被災者端末１３を操作して、該電柱ＩＤと個人ＩＤを音声、あるいはキーを押下してデータとして送信し、センタ１で自動認識して登録ＤＢ７に、電柱ＩＤと個人ＩＤ，更に、受け付け時間を登録する。
【００４４】
（４）　被災者が近くの電柱の電柱ＩＤを読み取り、ＦＡＸというセンタ１と通信可能な被災者端末１３からセンタ１に該電柱ＩＤと個人ＩＤをイメージデータとして送信し、センタ１で該イメージデータから文字を自動認識して登録ＤＢ７に、電柱ＩＤと個人ＩＤ，更に、受け付け時間を登録する。
【００４５】
なお、上記（１）〜（４）は本願発明におけるデータ送受信の１類型に過ぎず、本願発明においては、被災者が利用可能な各種の被災者端末１３により何らかの通信手段を用いて電柱ＩＤと個人ＩＤをセンタ１に送信することができればよいため、これら上記（１）〜（４）のデータ送受信方法に限定するものではなく、本願発明の要旨を逸脱しない範囲において各種のデータ送受信方法を採用することが可能である。
【００４６】
図３は、本発明のＤＢ例を示す。
図３の（ａ）は、登録ＤＢ例を示す。登録ＤＢ７は、図示の下記の情報を対応づけて登録したものである。
【００４７】
・個人ＩＤ：
・電柱ＩＤ：
・受付時刻：
・その他：
ここで、個人ＩＤは被災者を一意に特定するＩＤであって、例えば住民基本台帳番号（１１桁）、健康保険番号、運転免許番号などである。電柱ＩＤは電柱に付与された一意のＩＤ（電柱の設備ＩＤなど）であって、後述する電柱ＤＢ５において場所情報と対応づけられている。受付時刻は、被災者１３からの個人ＩＤと電柱ＩＤを受け付けた時刻である。
【００４８】
以上のように、センタ１の通信手段４が、被災者から被災者端末１３を通じて電柱ＩＤと個人ＩＤを受信して登録手段２が自動的に受け付けて登録ＤＢ７に登録することにより、当該個人ＩＤに対応する被災者が電柱ＩＤで識別される場所に受付時刻にいたという安否情報を、捜索者端末１４を通じて捜索者に提供することが可能となる。
【００４９】
図３の（ｂ）は、電柱ＤＢ例を示す。電柱ＤＢ５は、図示の下記の情報を対応づけて登録したものである。
【００５０】
・電柱ＩＤ：
・緯度：
・経度：
・その他：
ここで、電柱ＩＤは全国に配置した電線や電話線を架設するための電柱に付与された一意のＩＤ（例えば電柱の設備ＩＤ）である。緯度、経度は、電柱ＩＤの電柱が地図上でいずれの場所（緯度、経度）に配置されているかを登録したものである。
【００５１】
以上のように、電柱に付与された一意の電柱ＩＤを指定することで、地図上でいずれの場所かを精度良好かつ簡易に見つけることが可能となる。
【００５２】
図３の（ｃ）は、個人ＤＢ例を示す。個人ＤＢ８は、図示の下記の情報を対応づけて登録したものである。
【００５３】
・個人ＩＤ：
・氏名：
・住所：
・生年月日：
・その他：
ここで、個人ＩＤは被災者を一意に特定可能なＩＤであって、既述したように住民基本台帳番号（１１桁）、運転免許証番号、健康保険番号などである。氏名、住所、生年月日は当該被災者の氏名、住所、生年月日である。
【００５４】
以上のように、個人ＩＤに対応づけて氏名、住所などを登録することにより、氏名を指定した捜索要求があった場合に、該当する個人ＩＤを取り出し、既述した図３の（ａ）の登録ＤＢ７を検索して安否情報が登録されているか判定でき、登録されているときはその電柱ＩＤを取り出し、更に、図３の（ｂ）の電柱ＤＢ５を検索してその緯度、経度からなる居場所情報を取り出し、捜索者１２に返答することが可能となる。
【００５５】
図３の（ｄ）は、地図ＤＢ６を示す。地図ＤＢ６は、緯度，経度に対応づけて地図番号を登録したものであって、当該地図番号によって所定の縮尺の地図を取り出し、当該取り出した地図上で緯度，経度の場所にマークして被災者１１の居場所を捜索者１２に返答することが可能となる（後述する図５のＳ３０）。
【００５６】
図４は、本発明の動作説明フローチャート（検索）を示す。
図４において、Ｓ１１では、捜索者が捜索者端末１４を介して被災者の安否をセンタ１に問い合わせる。これは、捜索者が、利用できる電話、直接端末などの捜索者端末１４を操作して、安否を問い合わせたい被災者の個人ＩＤまたは氏名および住所等の被災者を識別可能な情報を捜索者端末１４に入力し、該情報をセンタ１に問合せとして送信させる。
【００５７】
Ｓ１２では、センタ１の通信手段４がＳ１１で捜索者端末１４から送信された問合せを受信する。
【００５８】
Ｓ１３では、センタ１の検索手段３がＳ１２で受信した問い合わせを元に登録ＤＢ７を検索する。これは、後述する図５の詳細フローチャートに示すようにして、問合せのあったの被災者を識別可能な被災者の個人ＩＤ、または氏名、住所等に該当する被災者の個人ＩＤが登録ＤＢ７に登録されていれば、更に、当該個人ＩＤの電柱ＩＤをもとに電柱ＤＢ５を検索してこの電柱ＩＤに該当する居場所（緯度、経度）を取り出す。
【００５９】
Ｓ１４では、センタ１の通信手段がＳ１３で検索した結果のデータを捜索者端末１４に送信する。
【００６０】
Ｓ１５では、捜索者端末１４がＳ１４でセンタ１から送信されたデータを出力する。これらＳ１４、Ｓ１５は、Ｓ１３で検索された被災者の安否情報として、捜索者端末１４の形態に応じて、該被災者の居場所を図７の（ａ）のように音声データとして出力したり、図７（ｂ）のように地図上に当該被災者の居場所をマークして出力したりする。
【００６１】
以上のように、捜索者端末１４からの個人ＩＤまたは氏名、住所等を指定した捜索要求を受け付けて、当該個人ＩＤまたは氏名、住所に該当する個人ＩＤが登録ＤＢ７に登録されていれば該個人ＩＤに対応付けられた電柱ＩＤを取り出し、該電柱ＩＤを元に電柱ＤＢ５から該電柱ＩＤに対応付けられた場所情報を取り出し、捜索者端末１４の形態に応じて被災者の居場所情報を返答することが可能となる。
【００６２】
図５は、本発明の詳細フローチャートを示す。
図５において、Ｓ２１では、検索手段３がＳ１２で受信した問い合わせが個人ＩＤか判別し、ＹＥＳであればＳ２８に、ＮＯであればＳ２２に進む。
【００６３】
Ｓ２１でＮＯの場合、Ｓ２２では、検索手段３が被災者を識別可能な氏名、住所等を検索条件として個人ＤＢを検索する。
【００６４】
Ｓ２３では、検索手段３が個人ＤＢを検索した結果該当するエントリを抽出し、該当者一覧を作成する。これらＳ２２、Ｓ２３は、捜索者１２から捜索要求のあった被災者の氏名、住所等をキーに、既述した図３の（ｃ）の個人ＤＢ８を検索して該当するエントリを取り出して該当者一覧を作成する。
【００６５】
Ｓ２４では、センタ１の通信手段４がＳ２３で抽出した該当者一覧を捜索者端末１３に送信する。
【００６６】
Ｓ２５では、捜索者端末１３がＳ２４でセンタ１から送信された該当者一覧をネットワーク１０または直接接続１２を介して受信して出力する。
【００６７】
Ｓ２６では、捜索者端末１３が捜索者の操作により、問い合わせ対象とする被災者の選択入力を受け、該被災者の個人ＩＤを選択情報としてセンタ１に送信する。なお、これは、捜索者がＳ２５で捜索者端末により出力された該当者一覧から被災者を選択することにより対象被災者の入力を可能とする。
【００６８】
Ｓ２７では、センタ１の通信手段４がＳ２６で捜索者端末から送信された対象被災者の選択情報を受信する。
【００６９】
Ｓ２８では、センタ１の検索手段３が個人ＩＤを元に登録ＤＢ７から電柱ＩＤを抽出する。これは、Ｓ２１で判別された個人ＩＤ、または、Ｓ２７で受信した個人ＩＤをキーに、既述した図３の（ａ）の登録ＤＢ７を検索して該当するエントリの電柱ＩＤを抽出する。
【００７０】
Ｓ２９では、検索手段３がＳ２８で抽出した電柱ＩＤを元に電柱ＤＢ５を検索し、該当するエントリの位置情報を抽出する。これは、電柱ＤＢ５を検索して当該電柱ＩＤに対応する位置情報（緯度、経度）を抽出する。
【００７１】
Ｓ３０は、検索手段３が捜索者端末１４に応じて取得したデータを加工する。これは、Ｓ２８で抽出した電柱ＩＤまたはＳ２９で抽出した位置情報（緯度、経度）をもとに、図７（ａ）に示すような音声データを加工作成したり、図７（ｂ）に示すような、既述した図３の（ｄ）の地図ＤＢ６を検索して当該位置情報が含まれる地図番号を取り出し、当該地図番号の地図上で位置情報に対応する位置にマークを付与し、被災者の居場所を明瞭にした表示データを加工作成する。
【００７２】
なお、本願発明においては上記加工方法に限定されるものではなく、本願発明の本旨を逸脱しない範囲において各種の出力データへの加工が可能である。
【００７３】
以上のように、捜索者端末１４からの個人ＩＤまたは氏名、住所等を指定した安否問合せを受け付けたことに対応して、センタ１は、氏名、住所をキーにして個人ＤＢ８を検索して個人ＩＤを抽出し、当該個人ＩＤが登録ＤＢ７に登録されていれば安否情報有りとして、音声情報や対応する電柱ＩＤをもとに電柱ＩＤ５を検索して場所情報を取り出して地図上にマークした表示情報などの安否情報を捜索者端末１４に返答することが可能となる。
【００７４】
【発明の効果】
以上説明したように、本発明によれば、被災者が被災時などに近くの電柱のＩＤおよび自己を識別する個人ＩＤを被災者端末１３を操作してセンタ１に連絡することにより、センタ１でデータベースに登録し、捜索者端末１４からの氏名などを指定した捜索要求に応じて被災者の安否情報を検索して返答する構成を採用しているため、被災者の詳細な場所を含む安否情報を簡易かつ迅速に取得することが可能となる。
【図面の簡単な説明】
【図１】本発明のシステム構成図である。
【図２】本発明の動作説明フローチャート（登録）である。
【図３】本発明のＤＢ例である。
【図４】本発明の動作説明フローチャート（検索）である。
【図５】本発明の詳細フローチャートある。
【図６】本発明のデータ出力例である。
【符号の説明】
１：センタ
２：登録手段
３：検索手段
４：通信手段
５：電柱ＤＢ
６：地図ＤＢ
７：登録ＤＢ
８：個人ＤＢ
９，１０：ネットワーク
１３：被災者端末
１４：捜索者端末
【図１】
2004139336.tif 000003
【図２】
2004139336.tif 000004
【図３】
2004139336.tif 000005
【図４】
2004139336.tif 000006
【図５】
2004139336.tif 000007
【図６】
2004139336.tif 000008